(57)【要約】【課題】充電池の劣化度に応じユーザの使用態様に対し十分な電圧を供給できる充電池を報知することで、印刷途中での充電切れが生じるのを防止する。【解決手段】印刷管理システム１０は、充電池の劣化度を検出する検出器１３４３を備えた可搬型のプリンタ１と、各ユーザ毎の個人使用情報を記憶した第１記憶部、装着可能な各充電池毎の劣化度情報を記憶した第２記憶部を備えた管理端末２００と、を有し、プリンタ１は、タグカードＣからユーザＩＤをＮＦＣ通信により受信し、ユーザＩＤと上記劣化度とを管理端末２００へ送信し、管理端末２００は、ユーザＩＤ及び劣化度を受信し、第１記憶部の上記個人使用情報を参照し、ユーザのプリンタ１の使用に必要な電池電圧値を算出し、第２記憶部の劣化度情報を参照し、上記複数の充電池のうち上記電池電圧値以上の電圧を与える充電池を決定し、対応した報知を実行する。【選択図】図６
2020135583.tif 000002
【特許請求の範囲】
【請求項１】
ユーザ識別情報を記憶した通信媒体と第１無線通信を行う第１通信手段、管理端末と第２無線通信を行う第２通信手段、充電池が装着される装着手段、及び、制御手段、を備え、前記装着手段に装着された前記充電池の電力により印刷物を印刷する、可搬型の印刷装置と、
前記印刷装置の使用態様に関わる各ユーザ毎の個人使用情報を記憶した第１記憶部、前記装着手段に装着可能な複数の前記充電池について各充電池毎の劣化度情報を記憶した第２記憶部、前記印刷装置の前記第２通信手段と前記第２無線通信を行う通信部、及び、制御部を備えた前記管理端末と、
を有する印刷管理システムであって、
前記印刷装置の前記制御手段は、
前記第１通信手段を介した前記第１無線通信により、前記通信媒体から前記ユーザ識別情報を受信する第１受信処理；
前記第１受信処理で受信した前記ユーザ識別情報を、前記第２通信手段を介した前記第２無線通信により、前記管理端末へ送信する第１送信処理；
を実行し、
前記管理端末の前記制御部は、
前記第１送信処理で送信された前記ユーザ識別情報を、前記通信部を介した前記第２無線通信により受信する第２受信処理；
前記第１記憶部に記憶された前記個人使用情報を参照し、前記第２受信処理で受信した前記ユーザ識別情報に関わるユーザによる前記印刷装置の使用に必要な、電池電圧値を算出する電圧算出処理；
前記第２記憶部に記憶された前記劣化度情報を参照し、前記複数の充電池のうち、前記電圧算出処理で算出した前記電池電圧値以上となる電圧を与える少なくとも１つの充電池を決定する電池決定処理；
前記電池決定処理の決定結果に対応した前記充電池に係わる報知を行う報知処理；
を実行することを特徴とする印刷管理システム。
【請求項２】
請求項１記載の印刷管理システムにおいて、
前記印刷装置の前記制御手段は、
前記装着手段に第１充電池が装着された状態で、前記第１受信処理及び前記第１送信処理を実行し、
前記管理端末の前記制御部は、
前記電池決定処理では、
前記装着手段に装着された前記第１充電池との組合せによって、前記電圧算出処理で算出した前記電池電圧値以上となる合計電圧を与える、前記装着手段に装着されていない第２充電池を決定し、
前記報知処理では、
前記第１充電池とともに前記第２充電池の使用を推奨する、推奨報知を行う
ことを特徴とする印刷管理システム。
【請求項３】
請求項１記載の印刷管理システムにおいて、
前記印刷装置の前記制御手段は、
前記装着手段に第１充電池が装着された状態で、前記第１受信処理及び前記第１送信処理を実行し、
前記管理端末の前記制御部は、
前記電池決定処理では、
前記装着手段に装着された前記第１充電池の電池電圧が前記電圧算出処理で算出した前記電池電圧値未満であることに対応し、前記第１充電池に代えて前記装着手段に装着されるべき、前記電池電圧値以上となる電池電圧を与える第３充電池を決定し、
前記報知処理では、
前記第１充電池に代えて前記第３充電池の使用を推奨する、推奨報知を行う
ことを特徴とする印刷管理システム。
【請求項４】
請求項１記載の印刷管理システムにおいて、
前記印刷装置の前記制御手段は、
前記装着手段に充電池が装着されない状態で、前記第１受信処理及び前記第１送信処理を実行し、
前記管理端末の前記制御部は、
前記電池決定処理では、
前記電池電圧値以上となる電池電圧を与える、新たに前記装着手段に装着されるべき第４充電池を決定し、
前記報知処理では、
前記第４充電池の使用を推奨する、推奨報知を行う
ことを特徴とする印刷管理システム。
【請求項５】
請求項２又は請求項３記載の印刷管理システムにおいて、
前記印刷装置は、
前記装着手段に装着された前記充電池の劣化度及び充電残量を検出する検出手段をさらに有し、
前記第１送信処理では、
前記第１受信処理で受信した前記ユーザ識別情報と、前記検出手段により検出された前記劣化度及び前記充電残量とを、前記管理端末へ送信し、
前記第２受信処理では、
前記第１送信処理で送信された前記ユーザ識別情報、前記劣化度、及び前記充電残量を受信する
ことを特徴とする印刷管理システム。
【請求項６】
請求項５記載の印刷管理システムにおいて、
前記印刷装置の前記制御手段は、
前記第１送信処理の後における、前記印刷装置の使用態様に関わる使用情報の履歴を蓄積する蓄積処理；
少なくとも前記蓄積処理が開始された後、前記第１通信手段を介した前記第１無線通信により、前記通信媒体から前記ユーザ識別情報を受信する第３受信処理；
前記第３受信処理で受信した前記ユーザ識別情報と、前記蓄積処理で蓄積した前記使用情報の履歴と、前記検出手段により検出された前記劣化度及び前記充電残量とを、前記第２通信手段を介した前記第２無線通信により、前記管理端末へ送信する第２送信処理；
を実行し、
前記管理端末の前記制御部は、
前記第２送信処理で送信された前記ユーザ識別情報、前記使用情報の履歴、前記劣化度、及び前記充電残量を、前記通信部を介した前記第２無線通信により受信する第４受信処理；
前記第４受信処理で受信した前記ユーザ識別情報に関わるユーザの、前記第１記憶部に記憶された前記個人使用情報を、前記第４受信処理で受信した前記使用情報の履歴を用いて更新する、個人使用情報更新処理；
を実行する
ことを特徴とする印刷管理システム。
【請求項７】
請求項６記載の印刷管理システムにおいて、
前記管理端末の前記制御部は、
前記第４受信処理で受信した前記劣化度に関わる充電池の、前記第２記憶部に記憶された前記劣化度情報を、当該第４受信処理で受信した劣化度を用いて更新する、劣化度情報更新処理；
を実行する
ことを特徴とする印刷管理システム。
【請求項８】
請求項６又は請求項７記載の印刷管理システムにおいて、
前記蓄積処理では、
各ユーザ共通で前記使用情報の履歴を蓄積し、
前記個人使用情報更新処理では、
前記第４受信処理で受信した前記使用情報の履歴を適用すべきユーザを、前記第４受信処理で受信した前記ユーザ識別情報を用いて特定するとともに、前記第１記憶部に記憶された複数のユーザの個人使用情報のうち、前記特定されたユーザの前記個人使用情報を、前記第４受信処理で受信した前記使用情報の履歴を用いて更新する
ことを特徴とする印刷管理システム。
【請求項９】
請求項６又は請求項７記載の印刷管理システムにおいて、
前記管理端末の前記制御部は、
前記第２受信処理の後、前記第１記憶部に記憶された複数のユーザの個人使用情報のうち、当該第２受信処理で受信した前記ユーザ識別情報に対応する前記個人使用情報を前記通信部を介した前記第２無線通信により前記印刷装置へ送信する第３送信処理；
を実行し、
前記印刷装置の前記制御手段は、
前記第３送信処理で送信された前記個人使用情報を、前記第２通信手段を介した前記第２無線通信により受信し、記憶手段に保持する第５受信処理；
を実行し、
前記蓄積処理では、
前記第５受信処理で前記記憶手段に保持された前記個人使用情報に対し、前記使用情報の履歴を追加して蓄積し、
前記第２送信処理では、
前記ユーザ識別情報と、前記蓄積処理で前記使用情報の履歴を追加して蓄積された前記個人使用情報と、前記劣化度及び前記充電残量とを、前記管理端末へ送信し、
前記管理端末の前記制御部は、
前記第４受信処理では、
前記第２送信処理で送信された前記ユーザ識別情報、前記個人使用情報、前記劣化度、及び前記充電残量を受信し、
前記個人使用情報更新処理では、前記第１記憶部に記憶された複数のユーザの個人使用情報のうち、前記第４受信処理で受信した前記ユーザ識別情報に対応したユーザの前記個人使用情報を、前記第４受信処理で受信した前記個人使用情報を用いて更新する
ことを特徴とする印刷管理システム。
【請求項１０】
請求項６乃至請求項９のいずれか１項記載の印刷管理システムにおいて、
前記使用情報は、
前記印刷装置の使用時間、
前記印刷物の個数、及び
前記印刷装置における印刷カバレッジ、
の少なくとも１つを含み、
前記個人使用情報は、対応するユーザによる、
単位時間当たりの前記印刷装置の平均使用時間、
単位時間当たりの前記印刷物の印刷個数、及び
単位時間当たりの前記印刷装置における印刷カバレッジ、
の少なくとも１つを含む
ことを特徴とする印刷管理システム。
【請求項１１】
ユーザ識別情報を記憶した通信媒体と第１無線通信により通信可能に接続されるとともに充電池の電力により印刷物を印刷する可搬型の印刷装置に接続され、前記印刷装置の使用態様に関わる各ユーザ毎の個人使用情報を記憶した第１記憶部、前記印刷装置に装着可能な複数の前記充電池について各充電池毎の劣化度情報を記憶した第２記憶部、前記印刷装置と第２無線通信を行う通信部、及び、制御部を備えた管理端末の、前記制御部に対し
前記印刷装置から前記第２無線通信を介し送信された、前記通信媒体から前記印刷装置が前記第１無線通信を介し取得済の前記ユーザ識別情報を、前記通信部を介した前記第２無線通信により受信する第２受信手順と、
前記第１記憶部に記憶された前記個人使用情報を参照し、前記第２受信手順で受信した前記ユーザ識別情報に関わるユーザによる前記印刷装置の使用に必要な、電池電圧値を算出する電圧算出手順と、
前記第２記憶部に記憶された前記劣化度情報を参照し、前記複数の充電池のうち、前記電圧算出手順で算出した前記電池電圧値以上となる電圧を与える少なくとも１つの充電池を決定する電池決定手順と、
前記電池決定手順での決定結果に対応した前記充電池に係わる報知を行う報知手順と、
を実行させるための、印刷管理プログラム。
【発明の詳細な説明】
【技術分野】
【０００１】
本発明は、印刷物を印刷する印刷装置と管理端末とを有する印刷管理システム及び印刷管理プログラムに関する。
【背景技術】
【０００２】
従来、例えば特許文献１に記載のように、電池を電源とするサーマルプリンタにおいて、印字中に適切な電池残量情報の提示を行う構成が知られている。このサーマルプリンタでは、電池の出力電圧が測定され、その出力電圧に基づいて電池残量が判定され、判定された電池残量がユーザへ報知される。
【先行技術文献】
【特許文献】
【０００３】
【特許文献１】特開２００８−２３８７５７号公報
【発明の概要】
【発明が解決しようとする課題】
【０００４】
例えば、電池の使用が繰り返され劣化すると、容量低下や内部抵抗の上昇が進み、電池残量が満充電状態であったとしても急速に充電残量の低下が進む。そのため、例えば可搬型のプリンタを複数のユーザで共通に使用する場合において、使用時間が比較的長かったり印刷枚数が比較的多かったり印刷カバレッジが比較的高いような使用態様となるユーザの使用時には、プリンタを持ち出して印刷を実行している途中で充電切れとなり、不意に印刷が停止してしまうおそれがある。
【０００５】
本発明の目的は、充電池の劣化度に応じユーザの使用態様に対し十分な電圧を供給できる充電池を報知することで、印刷途中での充電切れを防止できる、印刷管理システム及び印刷管理プログラムを提供することにある。
【課題を解決するための手段】
【０００６】
上記目的を達成するために、本願発明は、ユーザ識別情報を記憶した通信媒体と第１無線通信を行う第１通信手段、管理端末と第２無線通信を行う第２通信手段、充電池が装着される装着手段、及び、制御手段、を備え、前記装着手段に装着された前記充電池の電力により印刷物を印刷する、可搬型の印刷装置と、前記印刷装置の使用態様に関わる各ユーザ毎の個人使用情報を記憶した第１記憶部、前記装着手段に装着可能な複数の前記充電池について各充電池毎の劣化度情報を記憶した第２記憶部、前記印刷装置の前記第２通信手段と前記第２無線通信を行う通信部、及び、制御部を備えた前記管理端末と、を有する印刷管理システムであって、前記印刷装置の前記制御手段は、前記第１通信手段を介した前記第１無線通信により、前記通信媒体から前記ユーザ識別情報を受信する第１受信処理；前記第１受信処理で受信した前記ユーザ識別情報を、前記第２通信手段を介した前記第２無線通信により、前記管理端末へ送信する第１送信処理；を実行し、前記管理端末の前記制御部は、前記第１送信処理で送信された前記ユーザ識別情報を、前記通信部を介した前記第２無線通信により受信する第２受信処理；前記第１記憶部に記憶された前記個人使用情報を参照し、前記第２受信処理で受信した前記ユーザ識別情報に関わるユーザによる前記印刷装置の使用に必要な、電池電圧値を算出する電圧算出処理；前記第２記憶部に記憶された前記劣化度情報を参照し、前記複数の充電池のうち、前記電圧算出処理で算出した前記電池電圧値以上となる電圧を与える少なくとも１つの充電池を決定する電池決定処理；前記電池決定処理の決定結果に対応した前記充電池に係わる報知を行う報知処理；を実行することを特徴とする。
【０００７】
本願発明の印刷管理システムは、印刷装置と、管理端末と、を備えている。印刷装置は可搬型であり、装着手段に装着された充電池の電力により印刷物を印刷する構成となっている。しかしながら、充電池の使用が繰り返され劣化すると、容量低下や内部抵抗の上昇が進み、充電残量が満充電状態であったとしても急速に充電残量の低下が進む。そのため、複数のユーザにおいて共通に印刷装置が使用される場合に、例えば使用時間が比較的長かったり印刷枚数が比較的多かったり印刷カバレッジが比較的高いような使用態様となるユーザの使用時には、持ち出して印刷を実行している途中で充電切れとなって不意に印刷が停止してしまうおそれがある。
【０００８】
そこで本願発明においては、印刷装置を出先へと持ち出す時等において、まずユーザが通信媒体を手に持って印刷装置の第１通信手段に接触又は近接させる（以下適宜、単に「かざす」と称する）。すると、通信媒体との第１無線通信（いわゆる近距離無線通信）を介し、印刷装置の制御手段が上記ユーザのユーザ識別情報を受信する（第１受信処理）。上記受信を契機に、当該受信したユーザ識別情報が、第２無線通信（第１無線通信よりも通信距離の長い、例えばＢｌｕｅｔｏｏｔｈ（登録商標）やＷｉＦｉ（登録商標）等）を介し、管理端末へと送信される（第１送信処理）。
【０００９】
ここで、管理端末は、例えば、印刷装置が持ち出す前に保管されている保管場所（例えばオフィス、事務所、詰所、家屋等）に配置されており、その第１記憶部には、予め、各ユーザ毎の個人使用情報（例えば例えば平均使用時間、平均印刷枚数、平均印刷カバレッジ等）が記憶されている。また第２記憶部には、予め、各充電池毎の劣化度情報が記憶されている。管理端末の制御部は、上記ユーザ識別情報を受信した（第２受信処理）後、受信したユーザ識別情報に該当するユーザの上記個人使用情報を参照することで、上記のように通信媒体をかざしたユーザが印刷装置を持ち出して使用するときに必要となるであろう、電池電圧値を算出する（電圧算出処理）。また制御部は、上記記憶された劣化度情報を参照しつつ、上記算出された電圧値を供給することができる１つ又は複数の充電池を決定し（電池決定処理）、その決定結果に対応する報知を行う（報知処理）。
【００１０】
これにより、ユーザが印刷装置の持ち出し時に通信媒体を印刷装置にかざすだけで、そのユーザの使用態様に対応して十分な電圧を供給できる少なくとも１つの電池を、当該ユーザに報知することができる。この結果、前述のような印刷途中での電圧不足（充電切れ）が生じるのを防止でき、ユーザにとっての利便性を向上することができる。
【発明の効果】
【００１１】
本発明によれば、充電池の劣化度に応じユーザの使用態様に対し十分な電圧を供給できる充電池を報知することで、印刷途中での充電切れを防止することができる。
【図面の簡単な説明】
【００１２】
【図１】本発明の一実施形態の印刷管理システムを表すシステム構成図である。
【図２】プリンタの外観構造を表す斜視図である。
【図３】カートリッジカバーを開いた状態のプリンタの外観を表す斜視図である。
【図４】カートリッジの内部構造を表す概念的平面図である。
【図５】プリンタ、タグカード、及び管理端末の機能的構成を表すブロック図である。
【図６】プリンタ持ち出し時の挙動を表す説明図である。
【図７】プリンタ持ち帰り時の挙動を表す説明図である。
【図８】プリンタ持ち出し時における、充電池に関する他の報知例を表す説明図である。
【図９】プリンタ持ち出し時における、タグカード、プリンタ、管理端末によって実行される制御内容を表すシーケンス図である。
【図１０】プリンタの持ち出し時に必要な充電池の数の一例を定めた充電池個数テーブルである。
【図１１】プリンタ持ち帰り時における、タグカード、プリンタ、管理端末によって実行される制御内容を表すシーケンス図である。
【図１２】管理端末による個人使用情報の更新時の手法を説明する説明図である。
【図１３】プリンタに個人使用情報を保持させる変形例の、プリンタ持ち出し時におけるタグカード、プリンタ、管理端末によって実行される制御内容を表すシーケンス図である。
【図１４】プリンタに個人使用情報を保持させる変形例の、プリンタ持ち帰り時におけるタグカード、プリンタ、管理端末によって実行される制御内容を表すシーケンス図である。
【図１５】管理端末による個人使用情報の更新時の手法を説明する説明図である。
【発明を実施するための形態】
【００１３】
以下、本発明の一実施の形態を図面を参照しつつ説明する。
【００１４】
＜システム構成＞
図１に、本実施形態の印刷管理システム１０のシステム構成図を示す。この印刷管理システム１０は、プリンタ１（印刷装置に相当）と、管理端末２００と、を備えている。
【００１５】
プリンタ１は可搬型であり、内部に装着された充電池１３０（後述の図５参照）の電力により印字ラベル（印刷物に相当）を印刷する。また、プリンタ１は、タグカードＣが近接されることでタグカードＣとの間で近距離通信（詳細は後述）による情報送受信を実行可能である。このプリンタ１は、例えば、オフィス、事務所、詰所、家屋等の建物内の適宜の保管場所に保管されるとともに、例えばユーザが外出時に持ち出し可能となっている。なお、上記建物内には、予備の複数の充電池１３０が別途保管されており、管理端末２００も上記建物内に配置されている。
【００１６】
プリンタ１及び管理端末２００は、上記建物内若しくは屋外の適宜の箇所に存在するアクセスポイントＡＣＰ（基地局）に対し、例えばＷｉＦｉ（登録商標）やその他の無線ＬＡＮ等の適宜の相互認識無線通信によって情報送受信可能に接続されている。なお、これらプリンタ１及び管理端末２００は、ＷｉＦｉではなく、Ｂｌｕｅｔｏｏｔｈ（登録商標）等による他の無線通信方式や、あるいはＵＳＢケーブルを用いた有線接続によって接続されていてもよい。
【００１７】
管理端末２００は、例えば、上記相互認識無線通信に対応する機能を備えたＰＣ（パーソナルコンピュータ）等の情報端末である（あるいは、いわゆるＰＤＡ等の携帯情報端末や、ＰＤＡ機能を備えた携帯電話すなわちスマートフォンでもよい）。この管理端末２００は、表示部２０１と、操作部２０２とを有している。表示部２０１は、各種情報やメッセージを表示する表示機能を有し、操作部２０２は、操作者が所望の指示や情報を入力可能である。
【００１８】
＜プリンタの構成＞
図２及び図３を用いて、上記プリンタ１の概略構成について説明する。
【００１９】
図２及び図３に示すように、プリンタ１は、その外郭を構成する筐体２を備える。筐体２は、装置下面を構成しかつ装置側面と一体となった樹脂製の下カバー１５と、装置上面を構成する樹脂製の上カバー１７とにより構成されている。
【００２０】
下カバー１５の側面には、凹部１５ｂと、当該凹部１５ｂ内の奥部の中央に形成され、印字済ラベル用テープ１０９（後述の図４参照）を排出する排出口１５ａと、を備えている。
【００２１】
上カバー１７には、前方向から後方向に向けて、文字入力等の種々の操作が行われるキーボード３と、印刷ボタンや電源ボタン等を含む、プリンタ１の各種機能を実行させるための機能キー群４と、例えば矩形開口状の開口部を塞ぐように装着された表示部７とが設けられている。
【００２２】
また、プリンタ１の上面後部側には、カートリッジ８を着脱可能なカートリッジホルダ９が設けられている。上記上カバー１７は、テープカセット状のカートリッジ８を装着するためのカートリッジカバー１７ａを備えている。カートリッジホルダ９は、カートリッジカバー１７ａによって常には閉塞される（図２参照）一方、カートリッジカバー１７ａを開放することで、露出される（図３参照）。またこのカートリッジカバー１７ａの端部に、欠き取り部１７ｂが設けられている。そしてこの欠き取り部１７ｂに収納されるように、上記印字済ラベル用テープ１０９をカットするための操作レバーであるカットレバー５０が設けられている。
【００２３】
次に、カートリッジ８及びカートリッジホルダ９の詳細構造を図４を用いて説明する。カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である透明な被印字テープ１０３が巻回された第２ロール１０４（実際は渦巻き状であるが、図では簡略的に同心円状に示す）と、インクリボン１０５（但し被印字テープ１０３が感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７とを有する。
【００２４】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記被印字テープ１０３を巻回している。
【００２５】
テープ送りローラ２７は、上記基材テープ１０１と上記被印字テープ１０３とを押圧し接着させ上記印字済ラベル用テープ１０９としつつテープ送りを行う。
【００２６】
また、印字済ラベル用テープ１０９の搬送経路に沿ってテープ送りローラ２７及び圧着ローラ２８の下流側（すなわち後述の印字ヘッド２３よりも下流側）には、固定刃４０と、上記カットレバー５０の手動操作により上記固定刃４０に対し前進し固定刃４０との協働により印字済ラベル用テープ１０９を厚さ方向に切断する可動刃４１と、が設けられている。
【００２７】
一方、カートリッジホルダ９には、カートリッジ８内の使用済みの上記インクリボン１０５を巻き取るためのリボン巻取りローラ駆動軸１０７と、上記印字済ラベル用テープ１０９を搬送するためのテープ送りローラ駆動軸１０８とが設けられている。前述のリボン巻取りローラ１０６及びテープ送りローラ２７は、不図示の搬送ローラ用モータの駆動力が上記リボン巻取りローラ駆動軸１０７及び上記テープ送りローラ駆動軸１０８に伝達されることによって、連動して回転駆動される。またカートリッジホルダ９には、搬送される被印字テープ１０３に所望の印刷を行う印字ヘッド２３が、カートリッジ８の装着時にその開口部に位置するように設けられている。なお、印字ヘッド２３は、上記可動刃４１及び固定刃４０と、テープ搬送経路に沿って所定の離間距離で離間するよう配置されている。また、カートリッジホルダ９には、当該カートリッジホルダ９に装着されたカートリッジ８の種類（言い換えれば被印字テープ１０３のテープ幅等の各種テープ属性を表す被印字テープ１０３の種類）を公知の手法で検出するカートリッジセンサ９Ａを備えている。
【００２８】
＜印字テープ作成動作概略＞
上記構成において、カートリッジ８が上記カートリッジホルダ９に装着されると、被印字テープ１０３及びインクリボン１０５が印字ヘッド２３とこれに対向するプラテンローラ２６との間に狭持される。また、基材テープ１０１及び被印字テープ１０３が、テープ送りローラ２７とこれに対向する圧着ローラ２８との間に狭持される。そして、リボン巻取りローラ１０６及びテープ送りローラ２７が図４中矢印Ｂ及び矢印Ｃで示す方向にそれぞれ同期して回転駆動される。これにより、テープ送りローラ２７、圧着ローラ２８、及びプラテンローラ２６が回転し、第１ロール１０２から基材テープ１０１が繰り出され、テープ送りローラ２７へ供給される。一方、第２ロール１０４からは被印字テープ１０３が繰り出されるとともに、不図示の印刷駆動回路により印字ヘッド２３の複数の発熱素子が通電される。この結果、被印字テープ１０３の裏面に印字が印刷される。
【００２９】
そして、上記基材テープ１０１と上記印刷が終了した被印字テープ１０３とが上記テープ送りローラ２７及び圧着ローラ２８により接着されて一体化されて印字済ラベル用テープ１０９として形成され、テープ排出部よりカートリッジ８外へと搬出される。
【００３０】
被印字テープ１０３への印字が終了したインクリボン１０５は、リボン巻取りローラ駆動軸１０７の駆動によりリボン巻取りローラ１０６に巻取られる。
【００３１】
上記のようにしてカートリッジ８外へ搬出された印字済ラベル用テープ１０９は、上記カットレバー５０の手動操作に基づく固定刃４０及び可動刃４１の協働によって切断され、印刷物としての印字ラベル（図示省略）が生成される。このときの切断は、前述したように、ユーザによる上記カットレバー５０の手動操作が図示しない機構を介し可動刃４１に伝えられ、可動刃４１が固定刃４０に対し前進して可動刃４１と固定刃４０とが鋏状に閉じ合わされることで、行われる。
【００３２】
＜プリンタ、タグカード、及び管理端末の機能的構成＞
図５を用いて、プリンタ１、タグカードＣ、及び管理端末２００の機能的構成を説明する。
【００３３】
＜プリンタの機能的構成＞
図５において、プリンタ１は、被印字テープ１０３に所望の印刷を行う上記印字ヘッド２３と、上記プラテンローラ２６と、制御回路１４３（制御手段に相当）と、例えばＲＡＭやＲＯＭ等からなるメモリ１４４と、所望の表示を行う上記表示部７と、ＮＦＣ用通信部１４１と、第１アンテナ１４１ａと、通信制御部１４２と、第２アンテナ１４２ａと、充電池１３０を装着する装着部１３２（装着手段に相当）と、装着部１３２に装着された充電池１３０の劣化度及び充電残量を検出する検出器１３４（検出手段に相当）とを有している。
【００３４】
ＮＦＣ用通信部１４１は、プリンタ１とタグカードＣとの間で、第１アンテナ１４１ａを介して行われる、通信距離が比較的短い（例えば数１０ｃｍ程度の）近距離無線通信であるＮＦＣ通信（Ｎｅａｒ  Ｆｉｅｌｄ  Ｃｏｍｍｕｎｉｃａｔｉｏｎ）の制御を行う。なお、このＮＦＣ通信が、請求項記載の第１無線通信に相当し、ＮＦＣ用通信部１４１が第１通信手段に相当する。
【００３５】
通信制御部１４２は、プリンタ１と上記アクセスポイントＡＣＰ（さらには管理端末２００）との間で第２アンテナ１４２ａを介して行われる、通信距離が比較的長い（例えば上記ＮＦＣ通信よりも長い数ｍ〜数１０ｍ程度）上記相互認識無線通信の制御を行う。なお、この相互認識無線通信が、請求項記載の第２無線通信に相当し、通信制御部１４２が第２通信手段に相当する。
【００３６】
メモリ１４４に備えられたＲＯＭには、被印字テープ１０３に印刷を実行するための印刷処理プログラムや、後述する図９、図１１、図１３、図１４等により表される処理をタグカードＣや管理端末２００と協働して実行するための制御プログラムを含む、各種プログラムが記憶されている。
【００３７】
＜タグカードの機能的構成＞
タグカードＣは、ＮＦＣ通信媒体の一種であり、タグアンテナ１５１と、ＩＣ回路部１５０とを有し、ＩＣ回路部１５０は、メモリ部１５５と、タグ制御部１５７とを有している。
【００３８】
メモリ部１５５は、このタグカードＣの持ち主であるユーザのユーザＩＤ（ユーザ識別情報に相当）等を記憶している。メモリ部１５５はタグ制御部１５７と接続されている。メモリ部１５５及び上記タグアンテナ１５１は、上記タグ制御部１５７によって制御される。
【００３９】
タグアンテナ１５１は、上記タグ制御部１５７の制御に従い、上記プリンタ１の第１アンテナ１４１ａとの間のＮＦＣ通信により、プリンタ１との間で情報を送受信可能である。このＮＦＣ通信には、例えば１３．５６ＭＨｚ帯が利用される。これにより、ユーザがタグカードＣをプリンタ１の第１アンテナ１４１ａに接触又は近接させる（以下適宜、単に「かざす」と称する）ことで、タグカードＣとプリンタ１とのＮＦＣ通信が確立すると、上記メモリ部１５５に記憶されているユーザＩＤが、タグアンテナ１５１を介してプリンタ１に送信される。このユーザＩＤが、第１アンテナ１４１ａを介して受信される。
【００４０】
＜管理端末の機能的構成＞
管理端末２００は、ＣＰＵ２０３（制御部に相当）と、例えばＲＡＭやＲＯＭ等からなるメモリ２０４と、上記操作部２０２と、上記表示部２０１と、各種情報を記憶する大容量記憶装置２０５と、端末側アンテナ２０６ａを備えた相互認識無線通信制御部２０６（通信部に相当）と、を備えている。
【００４１】
相互認識無線通信制御部２０６は、ＣＰＵ２０３の制御に従い、端末側アンテナ２０６ａと上記アクセスポイントＡＣＰを介しての相互認識無線通信により、例えばプリンタ１からの上記ユーザＩＤの受信等やプリンタ１への指示信号の送信等、各種情報の送受信のための制御を行う。
【００４２】
ＣＰＵ２０３は、ＲＡＭの一時記憶機能を利用しつつＲＯＭに予め記憶されたプログラムに従って信号処理を行い、それによってプリンタ１との間で各種の指示信号・情報信号の送受を行うようになっている。
【００４３】
メモリ２０４には、文字スタイルやフォント等の所定の書式の種類ごとに、印刷指令をプリンタコード（詳細は省略）に変換するためのプログラムや、後述する図９、図１１、図１３、図１４等により表される処理をプリンタ１と協働して実行するための印刷管理プログラムを含む、各種プログラムが記憶されている。
が記憶されている。
【００４４】
大容量記憶装置２０５は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。また、この大容量記憶装置２０５は、第１記憶部及び第２記憶部を機能的に備えている。
【００４５】
大容量記憶装置２０５の第１記憶部には、予め、プリンタ１の使用態様に関わる各ユーザ毎の個人使用情報（詳細は後述）が記憶されている。大容量記憶装置２０５の第２記憶部には、予め、上記装着部１３２に装着可能な複数の充電池１３０について各充電池毎の劣化度情報（詳細は後述）が記憶されている。なお、この大容量記憶装置２０５に代えて、メモリ２０４に上記第１記憶部及び第２記憶部を設けても良い。
【００４６】
＜本実施形態の背景＞
上記したように、本実施形態のプリンタ１は、装着部１３２に装着された充電池１３０の電力により上記印字ラベルを印刷する。ここで、例えば充電池１３０の使用が繰り返され劣化すると、容量低下や内部抵抗の上昇が進み、電池残量が（例えば上記建物内に配置された図示しない充電器によって）満充電状態にされていたとしても、急速に充電残量の低下が進む。そのため、上記のように可搬式であるプリンタ１を複数のユーザで共通に使用する場合において、例えば使用時間が比較的長かったり印刷枚数が比較的多かったり印刷カバレッジが比較的高いような使用態様となるユーザの使用時には、プリンタ１を持ち出して印刷を実行している途中で充電切れとなり、不意に印刷が停止してしまうおそれがある。
【００４７】
＜本実施形態の特徴＞
そこで本実施形態においては、ユーザがプリンタ１を出先へと持ち出す時等において、充電池１３０の劣化度に応じ、当該ユーザの使用態様に対し十分な電圧を供給できる充電池１３０がどれであるかを報知することで、上述した印刷途中での充電切れを防止する。以下、その詳細を、順を追って説明する。
【００４８】
＜プリンタの持ち出し時の挙動＞
例えば前述のプリンタ１の持ち出し時の挙動の一例を図６（ａ）〜（ｄ）により説明する。
【００４９】
前述したように、管理端末２００の大容量記憶装置２０５（詳細には前述の第１記憶部）には、プリンタ１の使用態様に関わる各ユーザ毎の個人使用情報が記憶されている（図６（ａ）参照）。具体的には、複数のユーザ（図中ではユーザＡ，Ｂ，Ｃ，・・等と略示。以下同様）についての、過去のプリンタ１の使用時における１日当たりの平均使用時間（＝印刷時間）、過去のプリンタ１の使用時における１日当たりの平均印刷枚数、過去のプリンタ１の使用時における１日当たりの平均印刷カバレッジ、等（煩雑防止のため一部の図示を省略。以下同様）が記憶されている。なお、個人使用情報としては、上記平均使用時間、上記平均印刷枚数、上記平均印刷カバレッジのうち、いずれか１つが含まれていてもよい。
【００５０】
また、上記大容量記憶装置２０５（詳細には前述の第２記憶部）には、プリンタ１の装着部１３２に装着可能な複数の充電池１３０（以下それぞれ、単に、「充電池ａ」、「充電池ｂ」、「充電池ｃ」、・・等と称する。図示も同様）それぞれ毎に、プリンタ１の前回使用時（今回ユーザと異なるユーザによる使用も含まれる）に記憶され更新されていた劣化度情報が記憶されている。この例では、相対値として、「劣化度大」「劣化度中」「劣化度小」の３つの指標が予め用意されており、図示の例では、上記劣化度情報として、上記充電池ａが劣化度中、上記充電池ｂが劣化度小、上記充電池ｃが劣化度中、・・の内容が上記第２記憶部に記憶されている。
【００５１】
この状態で、プリンタ１を持ち出そうとするユーザ（この例ではユーザＡ。以下同様）が、図６（ｂ）に示すように、当該プリンタ１（詳細には第１アンテナ１４１ａ。以下同様）に対し、当該ユーザＡが所持するタグカードＣをかざす。すると、上記ＮＦＣ通信により、タグカードＣに記憶されたユーザＡのユーザＩＤが送信され、プリンタ１により受信される。
【００５２】
このとき、プリンタ１の装着部１３２には上記充電池ａが装着され、検出器１３４により充電池ａの充電残量及び劣化度が検出されている。プリンタ１は、前述のようにしてユーザＡのユーザＩＤを受信すると、図６（ｃ）に示すように、当該受信したユーザＩＤと、上記充電池ａの劣化度（この例では前述の「劣化度中」）及び充電残量とを、管理端末２００へ送信する。
【００５３】
上記ユーザＩＤと上記劣化度及び充電残量とを受信した管理端末２００は、上記第１記憶部に記憶された各個人使用情報のうち、受信したユーザＩＤに対応するユーザＡの個人使用情報（上記平均使用時間、平均印刷枚数、平均印刷カバレッジ等）に基づき、ユーザＡがプリンタ１を出先で使用するときに必要となると想定される電池電圧値を算出する。そして、管理端末２００は、上記第２記憶部に記憶された各充電池ａの劣化度情報（あるいは上記受信した充電池ａの劣化度情報でもよい）を参照し、さらに後述する充電池個数テーブル（図１０参照）を用いて、上記算出された電池電圧値を供給可能な１つ又は複数の充電池１３０がどれであるか判断し、最適な充電池及びその個数を決定する。
【００５４】
この例では、図６（ｃ）に示すように、上記ユーザＡによる印刷に必要と想定される電池電圧値を供給するためには、この時点で装着部１３２に装着されている劣化度中の１個の充電池ａの使用だけでは電圧不足である（上記ユーザＡによる印刷途中に充電切れを起こす可能性がある）と判断されている。そして、装着部１３２に装着された充電池ａ（この例における第１充電池に相当）の他に、もう１個の別の充電池１３０、すなわち劣化度小の充電池ｂ（この例における第２充電池に相当）か若しくは劣化度中の充電池ｃ（この例における第２充電池に相当）が別途必要であると判断されている。
【００５５】
そして、上記判断の結果、図６（ｄ）に示すように、管理端末２００の表示部２０１において、「Ａｔｔｅｎｔｉｏｎ！」の注意喚起マークＭ１と、その下の「この充電池ａだけでは電圧不足です。充電池ｂか充電池ｃを追加で持参してください。」のメッセージＭ２と、が表示される。
【００５６】
ユーザＡは、上記表示に対応して、プリンタ１（充電池ａが装着済）の持ち出し時に例えば充電池ｂを追加で出先へと持参する。そして、プリンタ１による印刷中に充電池ａの充電残量が少なくなったときには、ユーザＡは装着部１３２から充電池ａを取り外し、持参した充電池ｂを装着部１３２に装着する。これにより、交換後の充電池ｂを用いて引き続きプリンタ１を使用して印刷を行うことができる。
【００５７】
なお、以上のようにしてプリンタ１を持ち出したユーザＡが、出先でプリンタ１による印刷を開始すると、上記制御回路１４３により、そのときのプリンタ１の使用態様に関わる使用情報（上記の例では、当該プリンタ１における使用時間、印刷枚数、印刷カバレッジ）の履歴が随時蓄積されて行く。以下適宜、この蓄積されている使用情報を以下適宜、「本体使用情報」という。なお、この使用情報としては、上記使用時間、上記印刷枚数、上記印刷カバレッジのうち、いずれか１つが含まれていてもよい。
【００５８】
また、上記印刷開始後、装着部１３２に装着された充電池ａの劣化度及び充電残量、及び、その後上記交換により装着部１３２に新たに装着された充電池ｂの劣化度及び充電残量が検出器１３４がよって随時検出され、その検出の都度、検出結果は制御回路１４３によって記憶される。
【００５９】
＜プリンタの持ち帰り時の挙動＞
上記のようにしてプリンタ１を持ち出して使用した（充電池ａを用いた後、取り外して充電池ｂを用いた）ユーザＡが、使用を終了したプリンタ１を持ち帰った時の挙動の一例を図７（ａ）〜（ｄ）により説明する。
【００６０】
ユーザＡがプリンタ１を持ち出して使用している状態において、前述したように、管理端末２００の大容量記憶装置２０５の上記第１記憶部には、プリンタ１の使用態様に関わる各ユーザ毎の個人使用情報が記憶された状態である（図７（ａ）参照）。また上記第２記憶部にも、プリンタ１の装着部１３２に装着可能な複数の充電池１３０の劣化度情報が記憶された状態である。すなわち図６（ａ９）を用いて上述した状態から特に変化はない（図７（ａ）参照）。
【００６１】
この状態で、プリンタ１を持ち帰ってきたユーザ（この例では上記に沿ってユーザＡ。以下同様）が、図７（ｂ）に示すように、当該プリンタ１に対し、上記タグカードＣをかざす。すると、上記図６（ｂ）と同様、上記ＮＦＣ通信により、タグカードＣに記憶されたユーザＡのユーザＩＤが送信され、プリンタ１により受信される。
【００６２】
このとき、プリンタ１の装着部１３２には上記充電池ｂが装着され、検出器１３４により充電池ｂの充電残量及び劣化度が検出されている。また、前述の交換前に装着されていた上記充電池ａの充電残量及び劣化度の検出値が、プリンタ１内の適宜の箇所（例えばメモリ１４４）に記憶され保持されている。プリンタ１は、前述のようにしてユーザＡのユーザＩＤを受信すると、図７（ｃ）に示すように、当該受信したユーザＩＤと、上記充電池ａの劣化度（この例では、上記ユーザＡの今回の使用により前述の「劣化度中」→「劣化度大」に変わっている）及び充電残量と、上記充電池ｂの劣化度（この例では、上記ユーザＡの今回の使用により前述の「劣化度小」→「劣化度中」に変わっている）及び充電残量とを、管理端末２００へ送信する。またこのとき併せて、プリンタ１は、前述のようにして持ち出して使用されている間に蓄積されたプリンタ１の上記本体使用情報の履歴（言い替えれば今回持ち出し分の使用時間、印刷枚数、印刷カバレッジ）を管理端末２００へ送信する。
【００６３】
ユーザＩＤと上記充電池ａ，ｂの劣化度及び充電残量と上記本体使用情報とを受信した管理端末２００は、図７（ｄ）に示すように、上記第１記憶部に記憶された各個人使用情報のうち、受信したユーザＩＤに対応するユーザＡの個人使用情報（上記平均使用時間、平均印刷枚数、平均印刷カバレッジ等）に対し、受信した上記本体使用情報の履歴（今回持ち出し分の使用時間、印刷枚数、印刷カバレッジ）を追加することで、当該ユーザＡの個人使用情報を更新する（詳細手法は後述）。
【００６４】
また管理端末２００は、上記第２記憶部に記憶されていた各充電池ａ，ｂ，ｃ，・・等の劣化度情報のうち、上記受信した劣化度（この例では充電池ａは劣化度大、充電池ｂは劣化度中）を用いて更新する。すなわち、管理端末２００は、第２記憶部における、充電池ａの劣化度を劣化度中→劣化度大に変更するとともに、充電池ｂの劣化度を劣化度小→劣化度中に変更する。
【００６５】
＜プリンタ持ち出し時の他の報知例＞
前述のようにして管理端末２００の表示部２０１において行われる充電池に関する報知の、上記図６（ｄ）以外の例を図８（ａ）〜（ｃ）に示す。
【００６６】
図８（ａ）は、上記図６（ｄ）にて説明したのと同様、上記ユーザＡによる印刷に対しては、現時点で装着部１３２に装着されている充電池ａ（この例における第１充電池に相当）では充電残量不足である場合の例である。この場合、装着されている上記充電池ａを交換する、すなわち充電池ａを装着部１３２から取り外して劣化度小である充電池ｂ（この例における第３充電池に相当）を装着する、ことが推奨報知される。すなわち、表示部２０１において、上記同様の「Ａｔｔｅｎｔｉｏｎ！」の注意喚起マークＭ１と、「この充電池ａでは電圧不足です。充電池ｂに交換してください。」の推奨メッセージＭ３と、が表示されている。
【００６７】
図８（ｂ）は、前述の図６（ｄ）や図８（ａ）の場合は異なり、装着部１３２に充電池１３０が装着されない状態のプリンタ１に対し、タグカードＣがかざされた場合の例である。この場合、上記ユーザＡによる印刷に必要と想定される電池電圧値を供給するためには、新たに、劣化度小である充電池ｂ（この例における第４充電池に相当）を１つか、若しくは、劣化度中である充電池ａ（この例における第４充電池に相当）と劣化度中である充電池ｃ（この例における第４充電池に相当）の２つを、装着部１３２に装着するための充電池としてプリンタ１とともに持ち出す必要であると判断されている。この判断の結果、図８（ｂ）に示す応に、表示部２０１において、上記「Ａｔｔｅｎｔｉｏｎ！」の注意喚起マークＭ１と、「プリンタと一緒に充電池ｂ、又は充電池ａと充電池ｃの２つを持って行ってください。」の推奨メッセージＭ４とが表示されている。
【００６８】
図８（ｃ）は、上記図６（ｄ）及び図８（ａ）と同様、その時点でプリンタ１の装着部１３２に充電池が装着されている（この例では劣化度小の充電池ｂが装着）状態で、上記ユーザＡによる印刷に対して、その装着されている充電池ｂで電圧が十分足りている場合の例である。この場合、表示部２０１において、「ＯＫ！」のテキスト表示を含むＯＫマークＭ５と、「今の充電池ｂで電圧は十分足りています。」のメッセージＭ６と、が表示されている。
【００６９】
上記手法を実現するために、上記タグカードＣ、プリンタ１、管理端末２００が協働して行う処理の詳細を、図９及び図１１に示すシーケンス図により説明する。
【００７０】
＜プリンタ持ち出し時の制御手順＞
まず、上記プリンタ持ち出し時において、上記タグカードＣ（詳細には上記制御部１５７。以下同様）、プリンタ１（詳細には上記制御回路１４３。以下同様）、管理端末２００（詳細には上記ＣＰＵ２０３。以下同様）によって実行される制御内容を、上記図９を用いて説明する。
【００７１】
図９において、まず、前述のようにユーザがタグカードＣをプリンタ１にかざすことで、プリンタ１とタグカードＣとの間のＮＦＣ通信が確立すると、タグカードＣのメモリ部１５５に記憶されたユーザＩＤが上記ＮＦＣ通信によりプリンタ１に送信される（ステップＳＣ１０）。
【００７２】
プリンタ１は、上記ＮＦＣ通信によりタグカードＣから送信された上記ユーザＩＤを受信したか否かを判定する（ステップＳＰ２０）。なお、このステップＳＰ２０で実行する処理が各請求項記載の第１受信処理に相当している。上記ユーザＩＤを受信するまではステップＳＰ２０の判定は満たされず（ＳＰ２０：ＮＯ）、ループ待機する。
【００７３】
上記ユーザＩＤが受信されたら上記ステップＳＰ２０の判定が満たされて（ＳＰ２０：ＹＥＳ）、プリンタ１は、上記ＳＰ２０で受信したユーザＩＤと、検出器１３４により検出された充電池劣化度及び充電残量と、等を、管理端末２００へ送信する（ステップＳＰ３０）。このステップＳＰ３０で実行する処理が請求項記載の第１送信処理に相当している。なお、先に図８（ｂ）を用いて説明した、装着部１３２に充電池１３０が装着されていない場合については、このステップＳＰ３０ではユーザＩＤのみが管理端末２００へ送信される。
【００７４】
上記のようにしてプリンタ１から送信されたユーザＩＤ、充電池劣化度、充電残量等は、管理端末２００によって受信される（ステップＳＴ４０）。このステップＳＴ４０が各請求項記載の第２受信手順に相当し、ステップＳＴ４０で実行する処理が第２受信処理に相当している。
【００７５】
その後、管理端末２００は、上記第１記憶部に記憶された複数のユーザの個人使用情報を読み出す（ステップＳＴ５０）。そして、管理端末２００は、上記ステップＳＴ５０で読み出した複数のユーザの個人使用情報のうち、上記ステップＳＴ４０で受信したユーザＩＤに該当するユーザの個人使用情報を参照し、当該ユーザによるプリンタ１の使用に必要な、電池電圧値を算出する（ステップＳＴ６０）。その後、管理端末２００は、上記ステップＳＴ４０で受信した上記充電残量に基づき、この時点で装着部１３２に装着されている充電池１３０の出力電圧が、上記ステップＳＴ６０で算出された電池電圧値以上の電圧を供給するのに足りるか否かを判定する。言い替えれば、管理端末２００は、この時点で装着部１３２に装着されている充電池１３０が、このユーザがプリンタ１を持ち出し印刷を実行するのに対し十分な電圧供給性能を有しているか否か、有していなければどの充電池１３０を追加するか（あるいはどの充電池１３０に交換するか）を判定する。本実施形態では、前述したように、この判定においては、プリンタ１において使用可能な状態である各充電池１３０（装着部１３２に装着済のものを含む）が満充電状態であることを前提としつつ、各充電池１３０の劣化度を特に参酌して決定する。
【００７６】
＜充電池個数テーブル＞
そして、本実施形態では、上記ステップＳＴ６０における上記決定においては、例えば、図１０に一例を示す充電池個数テーブルが用いられる。この充電池個数テーブルでは、プリンタ１を出先に持ち出す際に必要とされる充電池１３０の個数が、ユーザによる使用態様と充電池の劣化度の高・低別に定められており、例えば上記大容量記憶装置２０５（メモリ２０４でもよい）に記憶されている。なお、上記の個数は、ここでは、各充電池が（装着部１３２に装着されている場合も含み）すべて満充電状態であるとした場合の必要個数である。
【００７７】
すなわち、図１０に示すように、この例では、上記ユーザによる使用態様として、使用頻度が相対的に高い「ヘビーユーザ」と、使用頻度が中程度の「ミドルユーザ」と、使用頻度が相対的に低い「ライトユーザ」と、の３つの区分が用意されている。また各区分の使用態様のユーザにより使用されるときの上記充電池１３０の劣化度が、前述の「劣化度大」「劣化度中」「劣化度小」の３つに区分されている。
【００７８】
図１０において、この例では、「ヘビーユーザ」区分のユーザがプリンタ１を持ち出して使用する場合においては、劣化度「大」の充電池１３０なら３個が必要であり、劣化度「中」の充電池１３０なら２個が必要であり、劣化度が「小」の充電池１３０なら１個が必要、と定められている。
【００７９】
同様に、「ミドルユーザ」区分のユーザの場合においては、劣化度「大」の充電池１３０なら２個、劣化度「中」の充電池１３０なら１個、劣化度「小」の充電池１３０なら１個が必要と定められている。
【００８０】
また同様に、「ライトユーザ」区分のユーザの場合は、劣化度「大」の充電池１３０で１個、劣化度「中」の充電池１３０で１個、劣化度「小」の充電池１３０でも１個が必要、と定められている。
【００８１】
図９に戻り、そしてこの例では、上記ステップＳＴ５０の必要電圧算出及びステップＳＴ７０での装着電池の電圧が足りるか否かの判定を、当該ユーザがプリンタ１と共に出先へ持参しようとしている充電池１３０の個数（装着部１３２に装着されているものも含む）が図１０のテーブルに定められている個数条件を満たしているか否かの判定に置き換える形で、実行する。
【００８２】
したがって、上記ステップＳＴ５０及びステップＳＴ６０における実際の処理としては、管理端末２００は、まず、上記ステップＳＴ４０で受信したユーザＩＤに該当するユーザの個人使用情報を参照し、適宜の手法により、当該ユーザが上記図１０に示した「ヘビーユーザ」「ミドルユーザ」「ライトユーザ」のいずれに該当するか、を識別する。
【００８３】
その後、管理端末２００は、上記のようにして「ヘビーユーザ」「ミドルユーザ」「ライトユーザ」のいずれかの該当区分において、ユーザがプリンタ１と共に出先へ持参しようとしている充電池１３０の個数が、劣化度別に見て図１０のテーブルに定められている個数以上となっているか否か、を判定する。
【００８４】
例えば上記図６（ａ）〜（ｄ）において例示したユーザＡさんが上記「ヘビーユーザ」であったとすると、このユーザＡさんが前述のようにプリンタ１を持ち出す場合には、劣化度「大」の充電池１３０なら３個以上が必要であり、劣化度「中」の充電池１３０なら２個以上が必要であり、劣化度が「小」の充電池１３０なら１個以上が必要である。
【００８５】
この結果、例えば劣化度「小」の充電池１３０がプリンタ１に装着されている状態であれば、その充電池１３０だけで、このユーザＡがプリンタ１を持ち出し印刷を実行するのに対し十分な電圧供給性能を有していると判定される。この場合は上記ステップＳＴ７０の判定が満たされて（ＳＴ７０：ＹＥＳ）、管理端末２００の表示部２０１に、上記ＯＫマークＭ５及びメッセージＭ６を表示する（ステップＳＴ８０。上記図８（ｃ）参照）。
【００８６】
一方、例えば前述の図６（ｃ）で例示したように劣化度「中」の充電池ａがプリンタ１に装着されているだけの状態であれば、充電池ａだけでは、このユーザＡがプリンタ１を持ち出し印刷を実行するのに対し十分な電圧供給性能を有していない（当該充電池単独ではユーザの印刷時に必要な電圧値未満の電圧しか供給できない）と判定される。
【００８７】
具体的には、例えば、少なくとも劣化度「中」の別の充電池を追加で持って行く必要がある（追加を行えば、２個の充電池１３０の組合せによりユーザの印刷時に必要な電圧値以上の合計電圧が供給可能となる）と判定される（図６（ｄ）参照）。
あるいは、図１０に示すように劣化度が「小」の充電池１３０なら１個で足りることから、装着された充電池ａを、別の劣化度「小」の充電池１３０に代える必要がある（交換を行えば、当該充電池１３０によりユーザの印刷時に必要な電圧値以上の電圧が供給可能となる）と判定される（図８（ａ）参照）。
あるいは、２個以上の充電池１３０で対応する可能性がある場合には、図１０に示すように劣化度が「中」の充電池１３０なら２個で足り、劣化度が「大」の充電池１３０でも３個あれば足りることから、装着された充電池ａのみの使用予定を、別の劣化度「中」の２個の充電池１３０若しくは劣化度「大」の３個の充電池の使用に置き換える必要がある（２個使用又は３個使用とすれば、それら２個又は３個の充電池１３０によりユーザの印刷時に必要な電圧値以上の電圧が供給可能となる）と判定される。なお前述したように、いずれの判定においても、充電池１３０の装着・非装着の合計個数が、図１０に示された個数条件を満たしているか否か、により判定される。
【００８８】
なお、上記ステップＳＴ５０及びステップＳＴ６０が各請求項記載の電圧算出手順に相当し、上記ステップＳＴ５０及びステップＳＴ６０で実行する処理が各請求項記載の電圧算出処理に相当している。
【００８９】
上記の充電池１３０の装着・非装着の合計個数が、図１０に示された個数条件を満たしていない場合は、ステップＳＴ７０の判定が満たされず（ＳＴ７０：ＮＯ）、管理端末２００は、この時点で上記第２記憶部に記憶されている全充電池１３０の劣化度情報を読み出す（ステップＳＴ９０）。その後、管理端末２００は、読み出した各充電池１３０の劣化度に基づき、前述の図１０に示された個数条件を満たすためにどの充電池１３０をいくつ追加すべきかを決定する（ステップＳＴ１００）。そして、管理端末２００はその決定結果に基づく表示を表示部２０１において表示する（ステップＳＴ１１０）。
【００９０】
例えば、前述のように少なくとも劣化度「中」の別の充電池を追加で持って行く必要があると判定された場合、かつ、充電池ｃが劣化度「中」で充電池ｂが劣化度「小」であった場合には、前述の図６（ｄ）に示したように、上記注意喚起マークＭ１と、「充電池ｂか充電池ｃを追加で持参してください。」を含むメッセージＭ２とが表示される。
【００９１】
あるいは前述のように、装着された充電池ａを別の劣化度「小」の充電池１３０に代える必要があると判定された場合、かつ、充電池ｂが劣化度「小」であった場合には、前述の図８（ａ）に示したように、上記注意喚起マークＭ１と、「充電池ｂに交換してください。」を含むメッセージＭ３とが表示される。
【００９２】
なお、上記ステップＳＴ７０、上記ステップＳＴ９０、上記ステップＳＴ１００が各請求項記載の電池決定手順に相当し、ステップＳＴ７０、上記ステップＳＴ９０、上記ステップＳＴ１００で実行する処理が電池決定処理に相当する。また、上記ステップＳＴ１１０が各請求項記載の報知手順に相当し、ステップＳＴ１１０で実行する処理が報知処理に相当している。
【００９３】
以上のステップＳＴ８０又はステップＳＴ１１０での表示部２０１での表示に対応し、ユーザは、必要に応じて適宜に充電池１３０の追加や装着を行った後にプリンタ１を持ち出す。
【００９４】
なお、プリンタ１は、前述のステップＳＰ３０においてユーザＩＤ等の送信を行った後は、前述したプリンタ１の使用態様に関わる本体使用情報（上記の例では、当該プリンタ１における使用時間、印刷枚数、印刷カバレッジ）の蓄積を開始する。したがって、上記のように持ち出されたプリンタ１をユーザが使用するのに応じて、上記本体使用情報が蓄積されることとなる。
【００９５】
＜プリンタ持ち帰り時の制御手順＞
次に、上記プリンタ持ち帰り時において、上記タグカードＣ、プリンタ１、管理端末２００によって実行される制御内容を、上記図１１を用いて説明する。
【００９６】
図１１において、まず、前述のようにユーザがタグカードＣをプリンタ１にかざすことで、上記ステップＳＣ１０と同様、プリンタ１とタグカードＣとの間のＮＦＣ通信が確立すると、タグカードＣのメモリ部１５５に記憶されたユーザＩＤが上記ＮＦＣ通信によりプリンタ１に送信される（ステップＳＣ１３０）。
【００９７】
プリンタ１は、上記ステップＳＰ２０と同様、上記ＮＦＣ通信によりタグカードＣから送信された上記ユーザＩＤを受信したか否かを判定する（ステップＳＰ１４０）。なお、このステップＳＰ１４０で実行する処理が各請求項記載の第３受信処理に相当している。また、このステップＳＰ１４０の処理は、少なくとも、図９のステップＳＰ１２０よりも後のタイミングである。上記ユーザＩＤを受信するまではステップＳＰ２０の判定は満たされず（ＳＰ１４０：ＮＯ）、ループ待機する。
【００９８】
上記ユーザＩＤが受信されたら上記ステップＳＰ１４０の判定が満たされて（ＳＰ１４０：ＹＥＳ）、プリンタ１は、上記ステップＳＰ１２０で開始した本体使用情報の蓄積を終了する（ＳＰ１５０）。なお、前述した図９のステップＳＰ１２０からこのステップＳＰ１５０までの間にプリンタ１が実行する処理が、各請求項記載の蓄積処理に相当する。
【００９９】
その後、プリンタ１は、上記ステップＳＰ１４０で受信したユーザＩＤと、上記ステップＳＰ１５０までの間に蓄積した前述の本体使用情報の履歴（プリンタ１固有のデータとして全ユーザ共通で蓄積済）と、検出器１３４により検出された充電池劣化度（プリンタ１固有のデータとして全ユーザ共通で蓄積済）及び充電残量（プリンタ１固有のデータとして全ユーザ共通で蓄積済）と、等を、管理端末２００へと送信する（ステップＳＰ１６０）。なお、前述したように、この時点で装着部１３２に装着されている充電池１３０が、持ち出し時に装着部１３２に装着されている充電池１３０と異なっていた場合には、取り外し済のすべての充電池１３０についての充電池劣化度及び充電残量（検出器１３４で検出後メモリ１４４等に記憶済）についてもこのステップＳＰ１６０にて送信される。このステップＳＰ１６０で実行する処理が各請求項記載の第２送信処理に相当している。
【０１００】
上記のようにしてプリンタ１から送信されたユーザＩＤ、本体使用情報の履歴、充電池劣化度、充電残量等は、上記ステップＳＴ４０と同様、管理端末２００によって受信される（ステップＳＴ１７０）。このステップＳＴ１７０で実行する処理が請求項記載の第４受信処理に相当している。
【０１０１】
その後、管理端末２００は、上記第１記憶部に記憶された各個人使用情報のうち、ステップＳＴ１７０で受信したユーザＩＤに対応するユーザの個人使用情報を特定する（言い換えれば適用すべきユーザを特定する）。そして、その特定した個人使用情報（上記平均使用時間、平均印刷枚数、平均印刷カバレッジ等）に対し、ステップＳＴ１７０で受信した上記本体使用情報の履歴（今回持ち出し分の使用時間、印刷枚数、印刷カバレッジ）を追加することで、当該ユーザの個人使用情報を更新する（ステップＳＴ１８０）。
【０１０２】
＜個人使用情報の更新＞
上記個人使用情報の更新時の手法の詳細を図１２を用いて説明する。前述したように、管理端末２００の上記第１記憶部には、予め、プリンタ１の使用態様に関わる各ユーザ毎の個人使用情報として、平均使用時間、平均印刷枚数、平均印刷カバレッジが記憶されている。平均使用時間、平均印刷枚数、平均印刷カバレッジは、それぞれ以下のようにして算出され、更新される。
【０１０３】
＜平均使用時間＞
ステップＳＴ１７０で受信した上記本体使用情報中には、「総使用時間カウント」が含まれている。この総使用時間カウントは、（ユーザが誰であるかに関係なく）使用された時間をプリンタ１自身がカウントした、総使用時間である。ステップＳＴ１７０では、今回の総使用時間カウントが取得される。ステップＳＴ１８０では、まず、この今回の総使用時間カウントから、前回のプリンタ１の使用時に同様にステップＳＴ１７０において取得された総使用時間カウント（第１記憶部に記憶済）を差し引くことで、今回の正味使用時間が算出される。すなわち、
今回の正味使用時間＝今回の総使用時間カウント−前回の総使用時間カウント
【０１０４】
そして、管理端末２００は、上記前回までの総使用時間カウントに今回の正味の使用時間を加えることで全使用時間を算出し、その全使用時間を、今回までの総使用回数で割ることにより、１使用回（単位時間の一例）あたりの平均使用時間を算出することができる。すなわち、
平均使用時間＝（前回までの総使用時間  ＋今回の正味使用時間）／総使用回数
【０１０５】
＜平均印刷枚数＞
ステップＳＴ１７０で受信した上記本体使用情報中には、「総印刷枚数カウント」が含まれている。この総印刷枚数カウントは、（ユーザが誰であるかに関係なく）印字ラベルＬが印刷された枚数をプリンタ１自身がカウントした、総印刷枚数である。ステップＳＴ１７０では、今回の総印刷枚数カウントが取得される。ステップＳＴ１８０では、まず、この今回の総印刷枚数カウントから、前回のプリンタ１の使用時に同様にステップＳＴ１７０において取得された総印刷枚数カウント（第１記憶部に記憶済）を差し引くことで、今回の正味印刷枚数が算出される。すなわち、
今回の正味印刷枚数＝今回の総印刷枚数カウント−前回の総印刷枚数カウント
【０１０６】
そして、管理端末２００は、上記前回までの総印刷枚数カウントに今回の正味の印刷枚数を加えることで全印刷枚数を算出し、その全印刷枚数を、今回までの総使用回数で割ることにより、１使用回（単位時間の一例）あたりの平均印刷枚数を算出することができる。すなわち、
平均印刷枚数＝（前回までの総印刷枚数  ＋今回の正味印刷枚数）／総使用回数
【０１０７】
＜平均印刷カバレッジ＞
ステップＳＴ１７０で受信した上記本体使用情報中には、「平均印刷カバレッジ」が含まれている。この平均印刷カバレッジ（平均印刷密度）は、（ユーザが誰であるかに関係なく）印字ラベルＬが作成される都度、プリンタ１自身が公知の手法によりそれまでの印刷カバレッジの累計を適宜の時間（単位時間の一例）あたりで平均し算出したものである。ステップＳＴ１７０では、その時点での今回の平均印刷カバレッジが取得される。  
【０１０８】
図１１に戻り、上記ステップＳＴ１８０においては、管理端末２００は、第１記憶部に記憶されている、ステップＳＴ１７０で受信したユーザＩＤに対応するユーザの個人使用情報（上記平均使用時間、平均印刷枚数、平均印刷カバレッジ等）に対し、上記のようにして算出又は取得された平均使用時間、平均印刷枚数、平均印刷カバレッジを組み込むことで、当該個人使用情報を最新の値に更新する。なお、このステップＳＴ１８０で実行する処理が各請求項記載の個人使用情報更新処理に相当している。
【０１０９】
その後、管理端末２００は、上記第２記憶部に記憶された各充電池１３０の劣化度情報のうちステップＳＴ１７０で受信した劣化度に対応する充電池１３０の劣化度情報を、ステップＳＴ１７０で受信した上記充電池劣化度により置き換えることで、当該劣化度情報を更新する（ステップＳＴ１９０）。なお、このステップＳＴ１９０で実行する処理が請求項記載の劣化度情報更新処理に相当する。
【０１１０】
＜実施形態の効果＞
以上説明したように、本実施形態の印刷管理システム１０においては、プリンタ１を出先へと持ち出す時等において、ユーザがタグカードＣを手に持ってプリンタ１にかざすことで、管理端末２００が、ユーザＩＤに該当するユーザの上記個人使用情報（予め第１記憶部に記憶済）を参照する。そして管理端末２００は、予め第２記憶部に記憶された各充電池１３０の劣化度情報を参照しつつ、当該ユーザがプリンタ１を持ち出して使用するときに必要となるであろう電圧値を供給できる充電池１３０に対応する報知（前述の例では表示）を行う。すなわち、ユーザがプリンタ１の持ち出し時にタグカードＣをプリンタ１にかざすだけで、そのユーザの使用態様に対応して十分な電圧を供給できる少なくとも１つの充電池１３０を、当該ユーザに報知することができる。この結果、前述のような印刷途中での電圧不足（充電切れ）が生じるのを防止でき、ユーザにとっての利便性を向上することができる。
【０１１１】
また、本実施形態においては特に、上記図６（ａ）〜（ｄ）等を用いて前述したように、プリンタ１の装着部１３２に１つの充電池１３０が装着されている状態で、管理端末２００がその充電池１３０だけでは当該ユーザによる使用中に電圧不足（充電切れ）が生じると判定することができる。そしてこの場合に、管理端末２００は、既にプリンタ１に装着されている上記充電池１３０とともに別の充電池１３０も併せて使用する（装着された充電池１３０が充電切れとなったときに交換して使用する）べき、として推奨報知する（図６（ｄ）参照）ことができる。このようにして、現在装着されている充電池１３０に加えて別の充電池１３０を併せて持って行くように推奨することで、上記印刷途中での電圧不足（充電切れ）を確実に防止することができる。
【０１１２】
また、本実施形態においては特に、上記図８（ａ）等を用いて前述したように、プリンタ１の装着部１３２に１つの充電池１３０が装着されている状態で、管理端末２００がその充電池１３０では当該ユーザによる使用中に電圧不足（充電切れ）が生じると判定することができる。そしてこの場合に、その充電池１３０に代わる別の充電池１３０をプリンタ１に装着すべき充電池として決定し、既にプリンタ１に装着されている上記充電池１３０に代えて上記決定した充電池１３０を装着して使用するべき、として推奨報知することができる（図８（ａ）参照）。このようにして、現在装着されている充電池１３０に代えて別の充電池１３０を持って行くように推奨することで、上記印刷途中での電圧不足（充電切れ）を確実に防止することができる。また、装着する充電池１３０を変えることで１つの充電池１３０のみ装着して持って行けば足りるので、現状装着されている充電池１３０に加え別の充電池１３０を持って行く場合（上記図６（ｄ）の例等を参照）に比べ、ユーザの重量負担が軽くなり、便利である。
【０１１３】
また、本実施形態においては特に、上記図８（ｂ）等を用いて前述したように、プリンタ１の装着部１３２に何も装着されていない状態で、管理端末２００が、プリンタ１に装着して使用すべき充電池１３０を決定し、その充電池１３０を、今回のプリンタ１の使用のために新たに装着して使用するべき充電池として推奨報知することができる（図８（ｂ）参照）。このようにして、現在装着部１３２に何も装着されていない状態で、新たに装着するのに最適な充電池１３０を推奨することにより、上記印刷途中での電圧不足（充電切れ）を確実に防止することができる。
【０１１４】
また、本実施形態においては特に、前述の管理端末２００での報知に対応してユーザが充電池１３０を選択しプリンタ１を持ち出した後、ユーザが出先で印刷を実行すると、そのときの上記使用情報（本体使用情報）の履歴が、随時制御回路１４３に蓄積されていく。そして、例えば出先から持ち帰った時等において、ユーザが再びタグカードＣを手に持ってプリンタ１のＮＦＣ用通信部１４１にかざすと、管理端末２００が、プリンタ１から送信されたユーザＩＤに該当するユーザの上記個人使用情報（第１記憶部に記憶）を、受信した上記使用情報の履歴を用いて更新する。これにより、上記第１記憶部内の当該ユーザの個人使用情報を、今回のプリンタ１の使用における当該ユーザの使用態様（使用時間、印刷枚数、印刷カバレッジ等）を反映させた、最新の内容とすることができる。この結果、当該ユーザの次回のプリンタ１の使用時には、その最新の個人使用情報を用いて前述の報知を行うことができる。
【０１１５】
また、本実施形態においては特に、上記出先から持ち帰った時等において、ユーザが再びタグカードＣを手に持ってプリンタ１のＮＦＣ用通信部１４１にかざすと、管理端末２００が、プリンタ１から充電池１３０の劣化度を受信した後、受信した劣化度に該当する充電池１３０の上記劣化度情報（第２記憶部に記憶）を、受信した上記劣化度を用いて更新する。これにより、上記第２記憶部内の当該充電池１３０の劣化度情報を、今回のプリンタ１の使用時における当該充電池１３０の劣化進行状況を反映させた、最新の内容とすることができる。この結果、当該充電池１３０が次回使用される時に、その最新の劣化度情報を加味して前述の充電池１３０の決定や報知を行うことができる。
【０１１６】
また、本実施形態においては特に、ユーザがプリンタ１を使用している際、使用ユーザが誰であるかに関係なくプリンタ１の使用情報（本体使用情報）が蓄積される（ステップＳＰ１２０，ＳＰ１５０参照）。その後、管理端末２００が、上記本体使用情報とともにプリンタ１から受信したユーザのユーザＩＤを用いて、上記蓄積された本体使用情報の履歴の適用先のユーザを特定する。そして、第１記憶部に記憶されている、当該特定されたユーザの個人使用情報を、プリンタ１から受信した上記本体使用情報を用いて更新する（ステップＳＴ１８０）。これにより、当該ユーザの個人使用情報を確実に最新の内容とすることができる。
【０１１７】
また、本実施形態においては特に、上記使用情報は、プリンタ１の使用時間、印字ラベルの個数（＝印刷枚数）、及びプリンタ１における印刷カバレッジ、の少なくとも１つを含み、上記個人使用情報は、対応するユーザによる、単位時間当たりのプリンタ１の平均使用時間、単位時間当たりの印字ラベルの印刷個数（＝印刷枚数）、及び単位時間当たりのプリンタ１における印刷カバレッジ、の少なくとも１つを含む。これにより、例えば使用時間が比較的長かったり印刷枚数が比較的多かったり印刷カバレッジが比較的高いような上記ヘビーユーザ（図１０参照）であっても、逆に使用時間が比較的短かったり印刷枚数が比較的少なかったり印刷カバレッジが比較的低いようなライトユーザ（図１０参照）であっても、個々のユーザの使用態様に応じて、確実に十分な電圧を供給できる少なくとも１つの電池を、確実に当該ユーザに報知することができる。
【０１１８】
なお、本発明は、上記実施形態に限られるものではなく、その趣旨及び技術的思想を逸脱しない範囲内で種々の変形が可能である。以下、そのような変形例について説明する。上記実施形態と同等の部分については、適宜説明を省略又は簡略化する。
【０１１９】
（１）プリンタに個人使用情報を保持させる場合
上記実施形態では、プリンタ１においてユーザに関係なく（＝全ユーザ共通で）本体使用情報の履歴を蓄積し、管理端末２００はその本体使用情報の履歴を取得して第１記憶部内の個人使用情報を更新したが、この手法に限られない。すなわち、プリンタ１を持ち出すユーザの個人使用情報をプリンタ１に保持させ、プリンタ時にその個人使用情報の履歴を管理端末２００で取得して第１記憶部内の個人使用情報を更新するようにしてもよい。以下、そのような変形例を詳細に説明する。上記実施形態と同等の部分には同一の符号を付し、適宜説明を省略又は簡略化する。
【０１２０】
＜プリンタ持ち出し時の制御手順＞
本変形例において、まず、上記プリンタ持ち出し時において、上記タグカードＣ、プリンタ１、管理端末２００によって実行される制御内容を、図１３を用いて説明する。
【０１２１】
図１３において、まず、図９と同様のステップＳＣ１０、ステップＳＰ２０、ステップＳＰ３０、ステップＳＴ４０が実行される。プリンタ１は、上記ステップＳＰ３０でのユーザＩＤ、充電池劣化度、充電残量等の管理端末２００への送信後、メモリ１４４の記憶内容（後述のようにこの時点では前回の個人使用情報が記憶されている。後述のステップＳＰ１２０′，１５０′参照）をクリアする（ステップＳＰ３５）。
【０１２２】
一方、管理端末２００は、上記ステップＳＴ５０での上記第１記憶部からのユーザの個人使用情報の読み出し終了後、その読み出した複数のユーザの個人使用情報のうち、上記ステップＳＴ４０で受信したユーザＩＤに該当するユーザの個人使用情報（但し、前述した平均使用時間及び平均印刷枚数にそれぞれ対応する、当該ユーザの総使用時間及び総印刷枚数と当該ユーザの平均印刷カバレッジが含まれる。後述の図１５参照）をプリンタ１へ送信する（ステップＳＴ５３）。その後のステップＳＴ６０，ＳＴ７０，ＳＴ８０，ＳＴ９０，ＳＴ１００，ＳＴ１１０については上記図９と同様であり、説明を省略する。なお、このステップＳＴ５３で実行する処理が各請求項記載の第３送信処理に相当している。
【０１２３】
一方、プリンタ１は、管理端末２００から上記ステップＳＴ５３において送信されたユーザの上記個人使用情報を受信し、メモリ１４４に保持する（ステップＳＰ５７）。なお、このステップＳＰ５７で実行する処理が各請求項記載の第５受信処理に相当する。
【０１２４】
その後、プリンタ１は、上記ステップＳＰ５７で受信しメモリ１４４に保持された上記ユーザの個人使用情報に対し、ユーザによるプリンタ１の使用に伴った使用情報の履歴を追加することにより、上記ユーザの個人使用情報の蓄積を開始する（ステップＳＰ１２０′）。
【０１２５】
＜プリンタ持ち帰り時の制御手順＞
次に、本変形例において、上記プリンタ持ち帰り時において、上記タグカードＣ、プリンタ１、管理端末２００によって実行される制御内容を、上記図１４を用いて説明する。
【０１２６】
図１４において、まず、図１１と同様のステップＳＣ１３０、ステップＳＰ１４０が実行される。プリンタ１は、上記ステップＳＰ１４０でのタグカードＣからのユーザＩＤの受信判定が満たされると（ＳＰ１４０：ＹＥＳ）、前述した図１３のステップＳＰ１２０′で開始した個人使用情報の蓄積を終了する（ステップＳＰ１５０′）。なお、上記ステップＳＰ１２０′からこのステップＳＰ１５０′までの間にプリンタ１が実行する処理が、本変形例における蓄積処理に相当している。
【０１２７】
その後、プリンタ１は、上記ステップＳＰ１４０で受信したユーザＩＤと、上記ステップＳＰ１５０′までの間に蓄積した前述の個人使用情報の履歴（プリンタ１においてこのユーザ固有のデータとして蓄積済）と、検出器１３４により検出された充電池劣化度（プリンタ１においてこのユーザ固有のデータとして蓄積済）及び充電残量（プリンタ１においてこのユーザ固有のデータとして蓄積済）と、等を、管理端末２００へ送信する（ステップＳＰ１６０′）。なお、前述と同様、この時点で装着部１３２に装着されている充電池１３０が、持ち出し時に装着部１３２に装着されている充電池１３０と異なっていた場合には、取り外し済のすべての充電池１３０についての充電池劣化度及び充電残量（検出器１３４で検出後メモリ１４４等に記憶済）についてもこのステップＳＰ１６０′にて送信される。このステップＳＰ１６０′で実行する処理が本変形例における第２送信処理に相当している。
【０１２８】
上記のようにしてプリンタ１から送信されたユーザＩＤ、個人使用情報の履歴、充電池劣化度、充電残量等は、上記ステップＳＴ１７０と同様、管理端末２００によって受信される（ステップＳＴ１７０′）。このステップＳＴ１７０′で実行する処理が本変形例における第４受信処理に相当している。
【０１２９】
その後、管理端末２００は、上記第１記憶部に記憶された各個人使用情報のうち、ステップＳＴ１７０で受信したユーザＩＤに対応するユーザの個人使用情報（上記平均使用時間、平均印刷枚数、平均印刷カバレッジ等）に対し、ステップＳＴ１７０で受信した上記個人使用情報の履歴（今回の当該ユーザによる使用時間、印刷枚数、印刷カバレッジ）を追加することで、当該ユーザの個人使用情報を更新する（ステップＳＴ１８０′）。
【０１３０】
＜個人使用情報の更新＞
本変形例における上記個人使用情報の更新時の手法の詳細を図１５を用いて説明する。前述したように、管理端末２００の上記第１記憶部には、予め、プリンタ１の使用態様に関わる各ユーザ毎の個人使用情報として、平均使用時間、平均印刷枚数、平均印刷カバレッジが記憶されている。本変形例においては、平均使用時間、平均印刷枚数、平均印刷カバレッジは、それぞれ以下のようにして算出され、更新される。
【０１３１】
＜平均使用時間＞
ステップＳＴ１７０′で受信した上記個人使用情報中には、「当該ユーザによる総使用時間カウント」が含まれている。この総使用時間カウントは、上記ステップＳＰ５７でのユーザの個人使用情報の受信後、当該ユーザ固有の値として、当該ユーザによる使用中の使用時間をプリンタ１自身がカウントした、総使用時間である。ステップＳＴ１７０′では、今回の当該ユーザの総使用時間カウントが取得される。ステップＳＴ１８０では、この今回の当該ユーザの総使用時間カウントを、今回までの総使用回数で割ることにより、当該ユーザの１使用回（単位時間の一例）あたりの平均使用時間を算出することができる。すなわち、
平均使用時間＝該当するユーザの総使用時間カウント／総使用回数  
【０１３２】
＜平均印刷枚数＞
ステップＳＴ１７０′で受信した上記個人使用情報中には、「当該ユーザによる総印刷枚数カウント」が含まれている。この総印刷枚数カウントは、上記ステップＳＰ５７でのユーザの個人使用情報の受信後、当該ユーザ固有の値として、当該ユーザによる使用中の印刷枚数をプリンタ１自身がカウントした、総印刷枚数である。ステップＳＴ１７０′では、今回の当該ユーザの総印刷枚数カウントが取得される。ステップＳＴ１８０では、この今回の当該ユーザの総印刷枚数カウントを、今回までの総使用回数で割ることにより、当該ユーザの１使用回（単位時間の一例）あたりの平均印刷枚数を算出することができる。すなわち、
平均印刷枚数＝該当するユーザの総印刷枚数カウント／総使用回数  
【０１３３】
＜平均印刷カバレッジ＞
ステップＳＴ１７０′で受信した上記個人使用情報中には、「当該ユーザによる平均印刷カバレッジ」が含まれている。この平均印刷カバレッジ（平均印刷密度）は、当該ユーザ固有の値として、印字ラベルＬが作成される都度、プリンタ１自身が公知の手法によりそれまでの印刷カバレッジの累計を適宜の時間（単位時間の一例）あたりで平均し算出したものである。ステップＳＴ１７０′では、その時点での今回の平均印刷カバレッジが取得される。  
【０１３４】
図１３に戻り、上記ステップＳＴ１８０′においては、管理端末２００は、第１記憶部に記憶されている、ステップＳＴ１７０′で受信したユーザＩＤに対応するユーザの個人使用情報（上記平均使用時間、平均印刷枚数、平均印刷カバレッジ等）に対し、上記のようにして算出又は取得された当該ユーザの平均使用時間、平均印刷枚数、平均印刷カバレッジを組み込むことで、当該個人使用情報を最新の値に更新する。なお、このステップＳＴ１８０′で実行する処理が本変形例における個人使用情報更新処理に相当している。なお、その後のステップＳＴ１９０については上記図１１と同様であり、説明を省略する。
【０１３５】
本変形例においては、以上のように、上記したプリンタ１の持ち出し時等においてユーザがタグカードＣをかざすことで、上記第１記憶部に記憶された、当該ユーザＩＤに対応する個人使用情報が管理端末２００からプリンタ１へ送信され、プリンタ１において保持される。その後、プリンタ１は、上記保持された個人使用情報（すなわち当該ユーザのみに係わる使用情報）に対し、プリンタ１の使用に伴う使用情報の履歴を追加して蓄積する。その後、上記持ち帰り時等においてユーザがタグカードＣをかざすことで、上記プリンタ１からの当該ユーザのユーザＩＤ、上記使用情報の履歴を追加して蓄積された個人使用情報、上記劣化度、が上記管理端末２００で受信され、第１記憶部に記憶されている、当該ユーザの個人使用情報が、上記プリンタ１から受信した個人使用情報を用いて更新される。これにより、当該ユーザの個人使用情報を確実に最新の内容とすることができる。
【０１３６】
また、本変形例においては、上述のように、事前にメモリ１４４に保持しておいた当該ユーザの個人使用情報に使用情報を追加する形でデータ蓄積を行い、そのデータによって上記第１記憶部の個人使用情報の更新を行う。これにより、上記実施形態のように使用ユーザを区別せずにプリンタ１の使用情報を蓄積した後、後で当該使用情報の適用先を特定する手法に比べ、管理端末２００における処理・演算を簡素化することができる。
【０１３７】
また、この変形例によれば、プリンタ持ち帰り時の段階では使用したユーザの個人使用情報がメモリ１４４に記憶されている。これにより、当該ユーザがプリンタ持ち帰り時にタグカードＣをかざすのをうっかり失念したとしても、例えば次に使用する別ユーザがタグカードＣをかざした際に、上記ステップＳＰ３０においてユーザＩＤ等とともに上記失念したユーザの個人使用情報を管理端末２００へ送信するようにすればよい。この場合、その送信後に上記ステップＳＴ１７０′，ＳＴ１８０′，ＳＴ１９０′相当の処理を行うようにすることで、当該失念したユーザの個人使用情報の更新を確実に行うことができる。
【０１３８】
また、上記プリンタ持ち帰り時の段階でプリンタ１に装着された充電池１３０の充電残量が０となっていたためにユーザがタグカードＣをかざしての前述の処理ができなかった場合も、上記同様、例えば次に使用する別ユーザがタグカードＣをかざした際に、上記ステップＳＰ３０においてユーザＩＤ等とともに上記失念したユーザの個人使用情報を管理端末２００へ送信することで、当該処理ができなかったユーザの個人使用情報の更新を確実に行うことができる。
【０１３９】
（２）その他
なお、以上において、図５等の各図中に示す矢印は信号の流れの一例を示すものであり、信号の流れ方向を限定するものではない。
【０１４０】
また、図９、図１１、図１３、図１４に示すシーケンス図は本発明を上記フローに示す手順に限定するものではなく、発明の趣旨及び技術的思想を逸脱しない範囲内で手順の追加・削除又は順番の変更等をしてもよい。
【０１４１】
また、以上既に述べた以外にも、上記実施形態や各変形例による手法を適宜組み合わせて利用しても良い。
【０１４２】
その他、一々例示はしないが、本発明は、その趣旨を逸脱しない範囲内において、種々の変更が加えられて実施されるものである。
【符号の説明】
【０１４３】
１                プリンタ（印刷装置）
１０              印刷管理システム
１３０            充電池
１３２            電池ボックス（装着手段）
１３４            検出器（検出手段）
１４１            ＮＦＣ用通信部（第１通信手段）
１４２            通信制御部（第２通信手段）
１４３            制御回路（制御手段）
１４４            メモリ（記憶手段）
２００            管理端末
２０３            ＣＰＵ（制御部）
Ｃ                タグカード（通信媒体）
【図１】
2020135583.tif 000003
【図２】
2020135583.tif 000004
【図３】
2020135583.tif 000005
【図４】
2020135583.tif 000006
【図５】
2020135583.tif 000007
【図６】
2020135583.tif 000008
【図７】
2020135583.tif 000009
【図８】
2020135583.tif 000010
【図９】
2020135583.tif 000011
【図１０】
2020135583.tif 000012
【図１１】
2020135583.tif 000013
【図１２】
2020135583.tif 000014
【図１３】
2020135583.tif 000015
【図１４】
2020135583.tif 000016
【図１５】
2020135583.tif 000017